(57)【要約】【課題】コイン（通貨硬貨）を使用することなく麻雀卓等の電気機器の使用を管理する管理システムを提供すること。【解決手段】  麻雀卓１０に設置されたタイマー１１に投入されるコイン型のチップから、そのチップが有するＲＦＩＤに記録されたＩＤを読み取り、その読み取ったＩＤに基づいて麻雀卓１０の使用を許可するか否かを判定する管理システム１を提供する。これにより、コイン（硬貨）を使用することなく麻雀卓１０の使用を管理することが可能となる。【選択図】図２
2015118501.tif 000002
【特許請求の範囲】
【請求項１】
電気機器の使用を管理する管理システムであって、
前記電気機器に対応して設けられた投入部に投入されるＩＤの記録されたコイン型のチップから、前記ＩＤを読み取る読取部と、
前記読取部が読み取った前記ＩＤに基づいて前記電気機器の使用を許可するか否かを判定する判定部と、
前記判定部の判定に基づいて前記電気機器の稼働を制御する制御部と、
を備えることを特徴とする管理システム。
【請求項２】
前記ＩＤは、前記チップに付されたＲＦＩＤ回路に記録されたものであることを特徴とする、請求項１に記載の管理システム。
【請求項３】
前記電気機器の使用を許可するＩＤに関するデータを管理する管理部をさらに備え、
前記判定部は、前記読取部が読み取ったＩＤが前記データに含まれるＩＤに一致する場合に前記電気機器の使用を許可することを特徴とする、請求項１又は２に記載の管理システム。
【請求項４】
前記管理部は、前記電気機器の使用を許可するＩＤを前記データに加えるとともに、前記判定部が前記電気機器の使用を許可したＩＤを前記データから削除することで前記データを更新することを特徴とする、請求項２に記載の管理システム。
【請求項５】
前記電気機器は麻雀卓であることを特徴とする、請求項２又は３に記載の管理システム。
【請求項６】
前記判定部は、前記データに含まれるＩＤの記録されたチップが２以上の所定の枚数だけ続けて投入された場合に前記電気機器の使用を許可することを特徴とする、請求項５に記載の管理システム。
【請求項７】
前記管理部は、前記読取部が読み取ったＩＤ、前記判定部がした判定の結果、及び前記電気機器の使用を許可した時刻のうち少なくとも１つを含むログデータを保持し、該ログデータを表示装置に表示することを特徴とする、請求項３〜６のいずれか一項に記載の管理システム。
【請求項８】
前記制御部は、前記使用を許可した時刻から所定の時間が経過したときに該時間の経過を知らせる信号を発することを特徴とする、請求項１〜７のいずれか一項に記載の管理システム。
【請求項９】
前記投入部と、前記読取部と、前記制御部とを備えることを特徴とする、タイマー。
【請求項１０】
前記判定部を更に備えることを特徴とする、請求項９に記載のタイマー。
【請求項１１】
前記管理部と前記表示装置とを更に備えることを特徴とする、請求項１０に記載のタイマー。
【請求項１２】
前記投入部に投入された前記チップを返却口から排出することを特徴とする、請求項９〜１１のいずれか１項に記載のタイマー。
【請求項１３】
２以上の請求項９に記載のタイマーと、
前記判定部及び前記管理部を備えた中央処理装置と、
前記２以上のタイマー及び前記中央処理装置がネットワークを介して接続されていることを特徴とする、管理システム。
【請求項１４】
前記電気機器は飲食店における注文端末又は加熱機器であることを特徴とする、請求項２又は３に記載の管理システム。
【発明の詳細な説明】
【技術分野】
【０００１】
本発明は、電気機器の使用を管理する管理システム、及びその管理システムに用いられるタイマーに関する。
【背景技術】
【０００２】
洗牌（牌を混ぜ合わせること）から山牌積み（牌を積むこと）までを自動で行う全自動麻雀卓（以下、単に麻雀卓と呼ぶ）を備えた遊戯施設を提供する雀荘では、通常、ユーザから麻雀卓の使用時間当たりの遊戯料を徴収することで収益を得る。従って、雀荘を経営する上で、ユーザの遊戯時間を正確に管理することが重要となる。しかし、従業者の金銭的不正や、また遊戯時間の管理を行うとルーズになりやすく、特定のユーザに対する贔屓等の不正が横行する、麻雀卓にコインタイマー（例えば特許文献１参照）を設置して遊戯時間を管理するとコインの回収にトラブルを生ずる、といった問題がある。
【０００３】
なお、麻雀卓に限らずアーケードゲーム等の電気機器を備える遊戯施設においても、やはり、同様の問題がある。また、飲食店においては、従来はタイマーを使用していないが、特定の顧客への贔屓等の不正の問題はある。
【先行技術文献】
【特許文献】
【０００４】
【特許文献１】特開平５−２７７２５６号公報
【発明の概要】
【発明が解決しようとする課題】
【０００５】
本発明は、コイン（通貨硬貨）を使用することなく麻雀卓等の電気機器の使用を管理する管理システムを提供することを課題とする。
コインタイマーと同等に使用時間を機械によって管理し、かつ従業員により硬貨の回収を不要として、この課題を解決することによって、経営者と従業員と客との間のトラブルを減少させるという課題も解決される。
【課題を解決するための手段】
【０００６】
本発明の管理システムは、
電気機器の使用を管理する管理システムであって、
前記電気機器に対応して設けられた投入部に投入されるＩＤの記録されたコイン型のチップから、前記ＩＤを読み取る読取部と、
前記読取部が読み取った前記ＩＤに基づいて前記電気機器の使用を許可するか否かを判定する判定部と、
前記判定部の判定に基づいて前記電気機器の稼働を制御する制御部と、
を備えることを特徴とする。
【０００７】
コイン型のチップを用いてそれに記録されたＩＤを基に電気機器の使用の許可が判定されるため、コイン（硬貨）を使用することなく電気機器の使用を管理することが可能となる。ＩＤの記録形態としては、後述のＲＦＩＤ回路、バーコードの印刷、その他のものが可能である。
【０００８】
本発明の管理システムは、
前記ＩＤは、前記チップに付されたＲＦＩＤ回路に記録されたものであることを特徴とする。
【０００９】
ＲＦＩＤ回路を用いれば、ＩＤの読取りが容易であり、かつ、不正が困難である。また、読取センサが小型であり、機器を小型化できる。
【００１０】
本発明の管理システムは、
前記電気機器の使用を許可するＩＤに関するデータを管理する管理部をさらに備え、
前記判定部は、前記読取部が読み取ったＩＤが前記データに含まれるＩＤに一致する場合に前記電気機器の使用を許可することを特徴とする。
【００１１】
各々の判定部の動作がデータによって規定される。データを更新することで各種の運用が可能である。ここで「データ」は、典型的には使用を許可するＩＤのリストであるが、ＩＤが使用を許可できるものであるか否かの判定が可能であればいかなる形式であってもよい。例えば数値化されたＩＤの値のうちの一部の桁が充足すべき条件であってもよい。本明細書においては、データは使用を許可するＩＤのリストであるとして説明するが、他の形式を否定するものではない。
【００１２】
本発明の管理システムは、
前記管理部は、前記電気機器の使用を許可するＩＤを前記データに加えるとともに、前記判定部が前記電気機器の使用を許可したＩＤを前記データから削除することで前記データを更新することを特徴とする。
【００１３】
１度使用された（電気機器を使用した）ＩＤをデータから削除することで、後述のようにチップをユーザに返却することも可能となる。また、例えばユーザが料金を支払ったチップのＩＤをデータに加えることで、返却されたチップの再使用が可能となる。
【００１４】
本発明の管理システムは、
前記電気機器は麻雀卓であることを特徴とする。
【００１５】
麻雀卓については、使用時間を管理することの需要が大きい。
【００１６】
本発明の管理システムは、
前記判定部は、前記データに含まれるＩＤの記録されたチップが２以上の所定の枚数だけ続けて投入された場合に前記電気機器の使用を許可することを特徴とする。
【００１７】
麻雀は、通常４名の競技者によって行われる。４名の競技者全員がチップを投入した場合にのみ麻雀卓を動作させることができる。使用料金の「割り勘」が容易に可能となる。
【００１８】
本発明の管理システムは、
前記管理部は、前記読取部が読み取ったＩＤ、前記判定部がした判定の結果、及び前記電気機器の使用を許可した時刻のうち少なくとも１つを含むログデータを保持し、該ログデータを表示装置に表示することを特徴とする。
【００１９】
ログデータに従って電気機器の使用状況を把握することができる。万一、不正操作が行われた場合であってもその発見が容易となり、不正操作を減少させることができる。
【００２０】
本発明の管理システムは、
前記制御部は、前記使用を許可した時刻から所定の時間が経過したときに該時間の経過を知らせる信号を発することを特徴とする。
【００２１】
信号を発して電気機器のユーザに使用時間の経過を知らせることができる。例えば、使用時間が残り５分の時にユーザに使用時間の経過を知らせて、必要に応じて追加のチップを投入することを促すことができる。
【００２２】
本発明のタイマーは、
前記投入部と、前記読取部と、前記制御部とを備えることを特徴とする。
【００２３】
投入部と読取部と制御部とを備えることで、電気機器の近傍に設置され、１台の電気機器を管理するタイマーとして機能することができる。
【００２４】
本発明のタイマーは、
前記判定部を更に備えることを特徴とする。
【００２５】
判定部を更に備えれば、タイマーのみによって管理システムを実現することができる。
【００２６】
本発明のタイマーは、
前記管理部と前記表示装置とを更に備えることを特徴とする。
【００２７】
管理システムの機能を全て１台のタイマーで実装できる。むろん、ネットワークを介して他のタイマー等と情報を授受するようにしてもよい。
【００２８】
本発明のタイマーは、
前記投入部に投入された前記チップを返却口から排出することを特徴とする。
【００２９】
チップをタイマー内に保存しないので、小型のタイマーが実現できる。このためには、上述のように、１度使用された（電気機器を使用した）ＩＤをデータから削除することが好ましい。
【００３０】
本発明の管理システムは、
２以上のタイマーと、
前記判定部及び前記管理部を備えた中央処理装置と、
前記２以上のタイマー及び前記中央処理装置がネットワークを介して接続されていることを特徴とする。
【００３１】
判定部及び管理部を中央処理装置（例えばコンピュータ）に集中して、２以上のタイマーを一元的かつ整合的に管理することができる。
【００３２】
本発明の管理システムは、
前記電気機器は飲食店における注文端末又は加熱機器であることを特徴とする。
【００３３】
飲食店においても本発明の管理システムが活用できる。
【発明の効果】
【００３４】
本発明の管理システムによれば、コイン（硬貨）を使用することなく麻雀卓等の電気機器の使用を管理することが可能となる。
【図面の簡単な説明】
【００３５】
【図１】図１は、麻雀卓の使用を管理する管理システムの構成を示すブロック図である。
【図２】図２は、タイマーを示す図である。
【発明を実施するための形態】
【００３６】
本発明の一実施形態について説明する。
【００３７】
図１に、本実施形態に係る管理システム１の構成を示す。管理システム１は、電気機器の使用を管理する。本実施形態では、一例として、電気機器は麻雀卓１０とする。管理システム１は、麻雀卓１０のそれぞれに設置されるタイマー１１、判定装置２０、及び管理装置３０から構成される。タイマー１１に内蔵された制御装置が、麻雀卓１０の電源のオン／オフを制御し、麻雀卓１０の使用許可（又は不許可）を実現する。
【００３８】
ここで、判定装置、管理装置、制御装置として「装置」の語を用いているが、判定部、管理部、制御部としてもよい。本実施形態では各々が別々の装置として実装されているが、２つ以上の「部」を備える１つの装置（例えばプログラムのインストールされたコンピュータ）によっても本発明を実施することが可能である。
【００３９】
本実施形態の管理システム１では、タイマー１１と判定装置２０とはネットワーク９に接続されている。また、判定装置２０には管理装置３０が接続されている。それにより、タイマー１１、判定装置２０、及び管理装置３０が相互に通信可能に接続されている。
【００４０】
管理装置３０は、表示画面３１に必要な情報を表示する。具体的な情報については後述する。
【００４１】
判定装置２０及び管理装置３０は、（判定装置２０ａ及び管理装置３０ａとして）タイマー１１に備えることもできる。
【００４２】
本実施形態の管理システム１では、システムを運用するにあたりコイン型のチップを使用する。チップにはＲＦＩＤ回路が内蔵されていて、ＲＦＩＤ回路にはチップ毎に異なるＩＤが記録されているものとする。
【００４３】
タイマー１１は、麻雀卓１０のそれぞれに設置され、後述する判定装置２０から送信される判定結果に従ってタイマー機能を作動し、麻雀卓１０の電源の入切を制御する。
【００４４】
図２に、本実施形態に係るタイマーを示す。タイマー１１には、投入口４１、ＲＦＩＤセンサ４２及び返却口４３が備えられている。ＲＦＩＤセンサ４２及びマイクロチップ（非図示）が読取装置を構成する。タイマー１１（センサ）は、その読取結果（ＲＦＩＤセンサ４２によって読み取られたＩＤ）を判定装置２０に送信する。
【００４５】
判定装置２０は、タイマー１１（センサ）から受信した読取結果（読み取られたＩＤ）に基づいてそのタイマー１１が設置された麻雀卓１０の使用を許可するか否かを判定する。判定装置２０は、その判定結果（使用を許可するか否か）をタイマー１１及び管理装置３０に送信する。
【００４６】
管理装置３０は、例えばデスクトップ型のパーソナルコンピュータであり、管理システム１（麻雀卓１０）の稼働状況等を表示する表示画面３１等を有する。管理装置３０は、麻雀卓１０の使用を許可するＩＤのデータを管理することで管理システム１全体を統括的に管理する。データは、管理装置３０が麻雀卓１０の使用を許可するＩＤを生成してデータに加えるとともに、判定装置２０から送信された判定結果より麻雀卓１０の使用を許可したＩＤをデータから削除することで、適宜更新される。なお、データは、メモリ、ハードディスクドライブ等の管理装置３０の記憶装置（不図示）に記憶される。
【００４７】
上述の構成の管理システム１において、チップを用いて麻雀卓１０の使用が管理される態様について説明する。
【００４８】
麻雀卓１０の使用を希望するユーザは、使用に先立ってチップを購入する。その際に、管理装置３０はそのチップに内蔵されたＲＦＩＤに記録されたＩＤを生成し（読み取り）、記憶装置（不図示）に記憶されているデータに追加してデータを更新する。
【００４９】
チップを購入したユーザは、そのチップを、使用する麻雀卓１０に設置されたタイマー１１の投入口に投入する。このとき、タイマー１１に設けられたＲＦＩＤセンサ４２がチップを検知し、そのチップに内蔵されたＲＦＩＤ回路に記録されたＩＤを読み取る。その読取結果（読み取られたＩＤ）は、ネットワーク９を介して判定装置２０に送信される。
【００５０】
タイマー１１（センサ）から読取結果を受信した判定装置２０は、麻雀卓１０の使用を許可するか否かを判定する。判定装置２０は、管理装置３０が管理するデータと照合し、読み取られたＩＤがデータに含まれるＩＤと一致するか否か確認する。一致する場合（一致しない場合）、判定装置２０は、麻雀卓１０の使用を許可し（許可せず）、その判定結果をタイマー１１（制御装置）及び管理装置３０に送信する。
【００５１】
制御装置は、判定装置２０から使用を許可する判定結果を受信すると、麻雀卓１０の電源を入れる。これにより、ユーザは麻雀卓１０を使用して、遊戯を開始することができる。
【００５２】
後述するように使用されたチップは再度使用することはできないため、返却口４３からユーザに返却する。タイマー１１にチップを保持する必要がなく、タイマー１１が小型にできる。ただし、タイマー１１内にいったん保持しておき後で従業員により回収されることとしてもよい。
【００５３】
タイマー１１は、麻雀卓１０の電源を入れると同時に、タイマー機能を作動する。すなわち、電源投入時間の測定を開始し、所定の時間が経過すると、タイマー１１はランプを点灯する、ブザーを発するなどによりユーザに時間の経過を知らせる信号を発する。タイマー１１は、規定回数の信号を発した後、麻雀卓１０の電源を切る。信号は、ユーザ向け表示画面３１ｂに表示することでもよい。
【００５４】
一方、タイマー１１は、判定装置２０から使用を許可しない判定結果を受信すると、麻雀卓１０の電源を入れることなくチップを返却口からユーザに返却する。ＩＤを読み取ることができない場合も同様である。
【００５５】
管理装置３０は、判定装置２０から使用を許可する判定結果を受信すると、判定装置２０が麻雀卓１０の使用を許可したＩＤをデータから削除して、データを更新する。それにより、同じチップが、再度、同じ麻雀卓１０に又は異なる麻雀卓１０に設置されたタイマー１１に投入されても使用が許可されることはない。管理装置３０がデータを更新することで、このように、麻雀卓１０の使用を管理することができる。
【００５６】
最後に、管理装置３０は、判定装置２０から判定結果を受信した時刻及び判定結果の内容（使用の許可又は不許可の別）、チップ（ＲＦＩＤ回路）に記録されたＩＤ、チップが投入されたタイマー１１（すなわち麻雀卓１０）等をログデータに保存する。それと同時に又は管理者による操作により、管理装置３０は、ログデータの内容を表示画面３１上に表示する。それにより、管理者が、適宜、ログデータの内容を確認して、麻雀卓１０の使用を管理することが可能となる。なお、タイマー１１に表示画面３１ａを設け、その上にログデータの一部を表示することで、管理者がタイマー毎に確認できるようにしてもよい。
【００５７】
以上詳細に説明したように、本実施形態の管理システム１によると、麻雀卓１０に設置されたタイマー１１に投入されるコイン型のチップから、そのチップが有するＲＦＩＤに記録されたＩＤが読み取られ、その読み取られたＩＤに基づいて麻雀卓１０の使用を許可するか否かが判定される。それにより、コイン（硬貨）を使用することなく麻雀卓１０の使用を管理することが可能となる。また、偽造困難なＲＦＩＤを有するチップを使用するため、管理システム１を安全に運用することが可能となる。
【００５８】
また、本実施形態の管理システム１によると、麻雀卓１０の使用を許可するＩＤに関するデータが管理され、チップから読み取られたＩＤがデータに含まれるＩＤに一致する場合に麻雀卓１０の使用が許可される。ＩＤに関するデータを管理することで、麻雀卓１０の使用を管理することが可能となる。
【００５９】
なお、タイマー１１は麻雀卓１０のそれぞれに対応して設置されていれば、必ずしも麻雀卓１０に固定されていなくてもよい。例えば麻雀卓１０から離間して設置されていてもよい。また、複数の麻雀卓１０ついて１つのタイマーを共用することとしてもよい。この場合、チップを投入する際、ユーザは使用を希望する麻雀卓を選択することとする。
【００６０】
また、麻雀卓１０は複数（２以上、４以下）のユーザで使用するため、判定装置２０は、データに含まれるＩＤであり、それぞれ異なるＩＤが記録されたＲＦＩＤを有するチップが２以上続けて投入された場合に麻雀卓１０の使用を許可することとしてもよい。それにより、麻雀卓１０を複数のユーザで使用する場合にその使用を許可することが可能となる。
【００６１】
また、チップは１回に限らず複数回使用できるよう、管理装置３０が管理することとしてもよい。係る場合、例えば、ユーザがチップを購入する際に、ユーザが支払う額に応じて管理装置３０が使用回数を定め、ＩＤとともにデータに保存する。管理装置３０は、判定装置２０から使用を許可する判定結果を受信する度にＩＤに対応する使用回数を減じ、使用回数がゼロになった際にそのＩＤをデータから削除する。
【００６２】
また、タイマー１１が判定装置２０及び管理装置３０の機能を備えるものとして構成してもよい。例えば、判定装置２０ａ及び管理装置３０ａをマイクロチップとして実装し、ユーザ向け表示画面３１ｂと合わせて、部品収納部１１ａに装着することができる。かかる場合、複数のタイマー１１（麻雀卓１０）の間で使用を許可するＩＤのデータを共有するよう、互いに通信可能に接続され、１つのタイマー１１でデータが更新されるとこれに同期して他のタイマー１１が保持するデータも同様に更新されることとすることが好ましい。これにより、タイマー１１単体で麻雀卓１０の使用を管理することも可能となる。むろん、１台のみのタイマー１１で運用することも可能である。
【００６３】
また、本実施形態では、雀荘での管理システム１の運用を想定して麻雀卓の使用を管理する場合を例に実施の一態様を説明したが、麻雀卓に限らずアーケードゲーム等の電気機器を備える遊戯施設においても同様に運用することができる。
【００６４】
更に、飲食店において食事時間に制限を付するために使用することもできる。例えば、広く用いられている飲食物の注文端末が所定の時間の後は稼動しなくなるようにする、焼肉や鍋物の加熱機器が所定の時間の後は稼動しなくなるようにするという形態で本発明の管理システムを活用することができる。
【産業上の利用可能性】
【００６５】
本発明の管理システムは、麻雀卓等の電気機器の使用を管理するのに好適である。多くの雀荘等による利用が期待される。
【符号の説明】
【００６６】
１    管理システム
９    ネットワーク
１０  麻雀卓（電気機器）
１１  タイマー
２０  判定装置
３０  管理装置
３１  表示画面
４１  投入口
４２  ＲＦＩＤセンサ
４３  返却口
【図１】
2015118501.tif 000003
【図２】
2015118501.tif 000004
【手続補正書】
【提出日】平成26年11月8日(2014.11.8)
【手続補正１】
【補正対象書類名】特許請求の範囲
【補正対象項目名】全文
【補正方法】変更
【補正の内容】
【特許請求の範囲】
【請求項１】
電気機器である麻雀卓の使用を管理する管理システムであって、
前記麻雀卓に対応して設けられた投入部に投入されるＩＤの記録されたコイン型のチップから、前記ＩＤを読み取る読取部と、
前記読取部が読み取った前記ＩＤに基づいて前記麻雀卓の使用を許可するか否かを判定する判定部と、
前記判定部の判定に基づいて前記麻雀卓の稼働を制御する制御部と、
前記電気機器の使用を許可するＩＤに関するデータを管理する管理部と
を備え、
前記ＩＤは、前記チップに付されたＲＦＩＤ回路に記録されたものであり、
前記判定部は、前記データに含まれるＩＤであって異なるＩＤの記録されたチップが２以上４以下の所定の枚数だけ続けて投入された場合に前記麻雀卓の使用を許可することを特徴とする管理システム。
【請求項２】
前記管理部は、前記読取部が読み取ったＩＤ、前記判定部がした判定の結果、及び前記麻雀卓の使用を許可した時刻のうち少なくとも１つを含むログデータを保持し、該ログデータを表示装置に表示することを特徴とする、請求項１に記載の管理システム。
【請求項３】
前記制御部は、前記使用を許可した時刻から所定の時間が経過したときに該時間の経過を知らせる信号を発する表示することを特徴とする、請求項１又は２に記載の管理システム。
【手続補正２】
【補正対象書類名】明細書
【補正対象項目名】全文
【補正方法】変更
【補正の内容】
【発明の詳細な説明】
【技術分野】
【０００１】
本発明は、電気機器の使用を管理する管理システム、及びその管理システムに用いられるタイマーに関する。
【背景技術】
【０００２】
洗牌（牌を混ぜ合わせること）から山牌積み（牌を積むこと）までを自動で行う全自動麻雀卓（以下、単に麻雀卓と呼ぶ）を備えた遊戯施設を提供する雀荘では、通常、ユーザから麻雀卓の使用時間当たりの遊戯料を徴収することで収益を得る。従って、雀荘を経営する上で、ユーザの遊戯時間を正確に管理することが重要となる。しかし、従業者の金銭的不正や、また遊戯時間の管理を行うとルーズになりやすく、特定のユーザに対する贔屓等の不正が横行する、麻雀卓にコインタイマー（例えば特許文献１参照）を設置して遊戯時間を管理するとコインの回収にトラブルを生ずる、といった問題がある。
【０００３】
なお、麻雀卓に限らずアーケードゲーム等の電気機器を備える遊戯施設においても、やはり、同様の問題がある。また、飲食店においては、従来はタイマーを使用していないが、特定の顧客への贔屓等の不正の問題はある。
【先行技術文献】
【特許文献】
【０００４】
【特許文献１】特開平５−２７７２５６号公報
【発明の概要】
【発明が解決しようとする課題】
【０００５】
本発明は、コイン（通貨硬貨）を使用することなく麻雀卓等の電気機器の使用を管理する管理システムを提供することを課題とする。
コインタイマーと同等に使用時間を機械によって管理し、かつ従業員により硬貨の回収を不要として、この課題を解決することによって、経営者と従業員と客との間のトラブルを減少させるという課題も解決される。
【課題を解決するための手段】
【０００６】
本発明の管理システムは、
電気機器である麻雀卓の使用を管理する管理システムであって、
前記麻雀卓に対応して設けられた投入部に投入されるＩＤの記録されたコイン型のチップから、前記ＩＤを読み取る読取部と、
前記読取部が読み取った前記ＩＤに基づいて前記麻雀卓の使用を許可するか否かを判定する判定部と、
前記判定部の判定に基づいて前記麻雀卓の稼働を制御する制御部と、
前記電気機器の使用を許可するＩＤに関するデータを管理する管理部と
を備え、
前記ＩＤは、前記チップに付されたＲＦＩＤ回路に記録されたものであり、
前記判定部は、前記データに含まれるＩＤであって異なるＩＤの記録されたチップが２以上４以下の所定の枚数だけ続けて投入された場合に前記麻雀卓の使用を許可することを特徴とする。
【０００７】
コイン型のチップを用いてそれに記録されたＩＤを基に電気機器の使用の許可が判定されるため、コイン（硬貨）を使用することなく電気機器の使用を管理することが可能となる。ＩＤの記録形態としては、後述のＲＦＩＤ回路、バーコードの印刷、その他のものが可能である。
【０００８】
ＲＦＩＤ回路を用いれば、ＩＤの読取りが容易であり、かつ、不正が困難である。また、読取センサが小型であり、機器を小型化できる。
【０００９】
各々の判定部の動作がデータによって規定される。データを更新することで各種の運用が可能である。ここで「データ」は、典型的には使用を許可するＩＤのリストであるが、ＩＤが使用を許可できるものであるか否かの判定が可能であればいかなる形式であってもよい。例えば数値化されたＩＤの値のうちの一部の桁が充足すべき条件であってもよい。本明細書においては、データは使用を許可するＩＤのリストであるとして説明するが、他の形式を否定するものではない。
【００１０】
１度使用された（電気機器を使用した）ＩＤをデータから削除することで、後述のようにチップをユーザに返却することも可能となる。また、例えばユーザが料金を支払ったチップのＩＤをデータに加えることで、返却されたチップの再使用が可能となる。
【００１１】
麻雀卓については、使用時間を管理することの需要が大きい。
【００１２】
麻雀は、通常４名の競技者によって行われる。４名の競技者全員がチップを投入した場合にのみ麻雀卓を動作させることができる。使用料金の「割り勘」が容易に可能となる。
【００１３】
本発明の管理システムは、
前記管理部は、前記読取部が読み取ったＩＤ、前記判定部がした判定の結果、及び前記電気機器の使用を許可した時刻のうち少なくとも１つを含むログデータを保持し、該ログデータを表示装置に表示することを特徴とする。
【００１４】
ログデータに従って電気機器の使用状況を把握することができる。万一、不正操作が行われた場合であってもその発見が容易となり、不正操作を減少させることができる。
【００１５】
本発明の管理システムは、
前記制御部は、前記使用を許可した時刻から所定の時間が経過したときに該時間の経過を知らせる信号を発することを特徴とする。
【００１６】
信号を発して電気機器のユーザに使用時間の経過を知らせることができる。例えば、使用時間が残り５分の時にユーザに使用時間の経過を知らせて、必要に応じて追加のチップを投入することを促すことができる。
【００１７】
本発明のタイマーは、
前記管理部と前記表示装置とを更に備えることを特徴とする。
【００１８】
管理システムの機能を全て１台のタイマーで実装できる。むろん、ネットワークを介して他のタイマー等と情報を授受するようにしてもよい。
【００１９】
本発明のタイマーは、
前記投入部に投入された前記チップを返却口から排出することを特徴とする。
【００２０】
チップをタイマー内に保存しないので、小型のタイマーが実現できる。このためには、上述のように、１度使用された（電気機器を使用した）ＩＤをデータから削除することが好ましい。
【００２１】
本発明の管理システムは、
２以上のタイマーと、
前記判定部及び前記管理部を備えた中央処理装置と、
前記２以上のタイマー及び前記中央処理装置がネットワークを介して接続されていることを特徴とする。
【００２２】
判定部及び管理部を中央処理装置（例えばコンピュータ）に集中して、２以上のタイマーを一元的かつ整合的に管理することができる。
【００２３】
本発明の管理システムは、
前記電気機器は飲食店における注文端末又は加熱機器であることを特徴とする。
【００２４】
飲食店においても本発明の管理システムが活用できる。
【発明の効果】
【００２５】
本発明の管理システムによれば、コイン（硬貨）を使用することなく麻雀卓等の電気機器の使用を管理することが可能となる。
【図面の簡単な説明】
【００２６】
【図１】図１は、麻雀卓の使用を管理する管理システムの構成を示すブロック図である。
【図２】図２は、タイマーを示す図である。
【発明を実施するための形態】
【００２７】
本発明の一実施形態について説明する。
【００２８】
図１に、本実施形態に係る管理システム１の構成を示す。管理システム１は、電気機器の使用を管理する。本実施形態では、一例として、電気機器は麻雀卓１０とする。管理システム１は、麻雀卓１０のそれぞれに設置されるタイマー１１、判定装置２０、及び管理装置３０から構成される。タイマー１１に内蔵された制御装置が、麻雀卓１０の電源のオン／オフを制御し、麻雀卓１０の使用許可（又は不許可）を実現する。
【００２９】
ここで、判定装置、管理装置、制御装置として「装置」の語を用いているが、判定部、管理部、制御部としてもよい。本実施形態では各々が別々の装置として実装されているが、２つ以上の「部」を備える１つの装置（例えばプログラムのインストールされたコンピュータ）によっても本発明を実施することが可能である。
【００３０】
本実施形態の管理システム１では、タイマー１１と判定装置２０とはネットワーク９に接続されている。また、判定装置２０には管理装置３０が接続されている。それにより、タイマー１１、判定装置２０、及び管理装置３０が相互に通信可能に接続されている。
【００３１】
管理装置３０は、表示画面３１に必要な情報を表示する。具体的な情報については後述する。
【００３２】
判定装置２０及び管理装置３０は、（判定装置２０ａ及び管理装置３０ａとして）タイマー１１に備えることもできる。
【００３３】
本実施形態の管理システム１では、システムを運用するにあたりコイン型のチップを使用する。チップにはＲＦＩＤ回路が内蔵されていて、ＲＦＩＤ回路にはチップ毎に異なるＩＤが記録されているものとする。
【００３４】
タイマー１１は、麻雀卓１０のそれぞれに設置され、後述する判定装置２０から送信される判定結果に従ってタイマー機能を作動し、麻雀卓１０の電源の入切を制御する。
【００３５】
図２に、本実施形態に係るタイマーを示す。タイマー１１には、投入口４１、ＲＦＩＤセンサ４２及び返却口４３が備えられている。ＲＦＩＤセンサ４２及びマイクロチップ（非図示）が読取装置を構成する。タイマー１１（センサ）は、その読取結果（ＲＦＩＤセンサ４２によって読み取られたＩＤ）を判定装置２０に送信する。
【００３６】
判定装置２０は、タイマー１１（センサ）から受信した読取結果（読み取られたＩＤ）に基づいてそのタイマー１１が設置された麻雀卓１０の使用を許可するか否かを判定する。判定装置２０は、その判定結果（使用を許可するか否か）をタイマー１１及び管理装置３０に送信する。
【００３７】
管理装置３０は、例えばデスクトップ型のパーソナルコンピュータであり、管理システム１（麻雀卓１０）の稼働状況等を表示する表示画面３１等を有する。管理装置３０は、麻雀卓１０の使用を許可するＩＤのデータを管理することで管理システム１全体を統括的に管理する。データは、管理装置３０が麻雀卓１０の使用を許可するＩＤを生成してデータに加えるとともに、判定装置２０から送信された判定結果より麻雀卓１０の使用を許可したＩＤをデータから削除することで、適宜更新される。なお、データは、メモリ、ハードディスクドライブ等の管理装置３０の記憶装置（不図示）に記憶される。
【００３８】
上述の構成の管理システム１において、チップを用いて麻雀卓１０の使用が管理される態様について説明する。
【００３９】
麻雀卓１０の使用を希望するユーザは、使用に先立ってチップを購入する。その際に、管理装置３０はそのチップに内蔵されたＲＦＩＤに記録されたＩＤを生成し（読み取り）、記憶装置（不図示）に記憶されているデータに追加してデータを更新する。
【００４０】
チップを購入したユーザは、そのチップを、使用する麻雀卓１０に設置されたタイマー１１の投入口に投入する。このとき、タイマー１１に設けられたＲＦＩＤセンサ４２がチップを検知し、そのチップに内蔵されたＲＦＩＤ回路に記録されたＩＤを読み取る。その読取結果（読み取られたＩＤ）は、ネットワーク９を介して判定装置２０に送信される。
【００４１】
タイマー１１（センサ）から読取結果を受信した判定装置２０は、麻雀卓１０の使用を許可するか否かを判定する。判定装置２０は、管理装置３０が管理するデータと照合し、読み取られたＩＤがデータに含まれるＩＤと一致するか否か確認する。一致する場合（一致しない場合）、判定装置２０は、麻雀卓１０の使用を許可し（許可せず）、その判定結果をタイマー１１（制御装置）及び管理装置３０に送信する。
【００４２】
制御装置は、判定装置２０から使用を許可する判定結果を受信すると、麻雀卓１０の電源を入れる。これにより、ユーザは麻雀卓１０を使用して、遊戯を開始することができる。
【００４３】
後述するように使用されたチップは再度使用することはできないため、返却口４３からユーザに返却する。タイマー１１にチップを保持する必要がなく、タイマー１１が小型にできる。ただし、タイマー１１内にいったん保持しておき後で従業員により回収されることとしてもよい。
【００４４】
タイマー１１は、麻雀卓１０の電源を入れると同時に、タイマー機能を作動する。すなわち、電源投入時間の測定を開始し、所定の時間が経過すると、タイマー１１はランプを点灯する、ブザーを発するなどによりユーザに時間の経過を知らせる信号を発する。タイマー１１は、規定回数の信号を発した後、麻雀卓１０の電源を切る。信号は、ユーザ向け表示画面３１ｂに表示することでもよい。
【００４５】
一方、タイマー１１は、判定装置２０から使用を許可しない判定結果を受信すると、麻雀卓１０の電源を入れることなくチップを返却口からユーザに返却する。ＩＤを読み取ることができない場合も同様である。
【００４６】
管理装置３０は、判定装置２０から使用を許可する判定結果を受信すると、判定装置２０が麻雀卓１０の使用を許可したＩＤをデータから削除して、データを更新する。それにより、同じチップが、再度、同じ麻雀卓１０に又は異なる麻雀卓１０に設置されたタイマー１１に投入されても使用が許可されることはない。管理装置３０がデータを更新することで、このように、麻雀卓１０の使用を管理することができる。
【００４７】
最後に、管理装置３０は、判定装置２０から判定結果を受信した時刻及び判定結果の内容（使用の許可又は不許可の別）、チップ（ＲＦＩＤ回路）に記録されたＩＤ、チップが投入されたタイマー１１（すなわち麻雀卓１０）等をログデータに保存する。それと同時に又は管理者による操作により、管理装置３０は、ログデータの内容を表示画面３１上に表示する。それにより、管理者が、適宜、ログデータの内容を確認して、麻雀卓１０の使用を管理することが可能となる。なお、タイマー１１に表示画面３１ａを設け、その上にログデータの一部を表示することで、管理者がタイマー毎に確認できるようにしてもよい。
【００４８】
以上詳細に説明したように、本実施形態の管理システム１によると、麻雀卓１０に設置されたタイマー１１に投入されるコイン型のチップから、そのチップが有するＲＦＩＤに記録されたＩＤが読み取られ、その読み取られたＩＤに基づいて麻雀卓１０の使用を許可するか否かが判定される。それにより、コイン（硬貨）を使用することなく麻雀卓１０の使用を管理することが可能となる。また、偽造困難なＲＦＩＤを有するチップを使用するため、管理システム１を安全に運用することが可能となる。
【００４９】
また、本実施形態の管理システム１によると、麻雀卓１０の使用を許可するＩＤに関するデータが管理され、チップから読み取られたＩＤがデータに含まれるＩＤに一致する場合に麻雀卓１０の使用が許可される。ＩＤに関するデータを管理することで、麻雀卓１０の使用を管理することが可能となる。
【００５０】
なお、タイマー１１は麻雀卓１０のそれぞれに対応して設置されていれば、必ずしも麻雀卓１０に固定されていなくてもよい。例えば麻雀卓１０から離間して設置されていてもよい。また、複数の麻雀卓１０ついて１つのタイマーを共用することとしてもよい。この場合、チップを投入する際、ユーザは使用を希望する麻雀卓を選択することとする。
【００５１】
また、麻雀卓１０は複数（２以上、４以下）のユーザで使用するため、判定装置２０は、データに含まれるＩＤであり、それぞれ異なるＩＤが記録されたＲＦＩＤを有するチップが２以上続けて投入された場合に麻雀卓１０の使用を許可することとしてもよい。それにより、麻雀卓１０を複数のユーザで使用する場合にその使用を許可することが可能となる。
【００５２】
また、チップは１回に限らず複数回使用できるよう、管理装置３０が管理することとしてもよい。係る場合、例えば、ユーザがチップを購入する際に、ユーザが支払う額に応じて管理装置３０が使用回数を定め、ＩＤとともにデータに保存する。管理装置３０は、判定装置２０から使用を許可する判定結果を受信する度にＩＤに対応する使用回数を減じ、使用回数がゼロになった際にそのＩＤをデータから削除する。
【００５３】
また、タイマー１１が判定装置２０及び管理装置３０の機能を備えるものとして構成してもよい。例えば、判定装置２０ａ及び管理装置３０ａをマイクロチップとして実装し、ユーザ向け表示画面３１ｂと合わせて、部品収納部１１ａに装着することができる。かかる場合、複数のタイマー１１（麻雀卓１０）の間で使用を許可するＩＤのデータを共有するよう、互いに通信可能に接続され、１つのタイマー１１でデータが更新されるとこれに同期して他のタイマー１１が保持するデータも同様に更新されることとすることが好ましい。これにより、タイマー１１単体で麻雀卓１０の使用を管理することも可能となる。むろん、１台のみのタイマー１１で運用することも可能である。
【００５４】
また、本実施形態では、雀荘での管理システム１の運用を想定して麻雀卓の使用を管理する場合を例に実施の一態様を説明したが、麻雀卓に限らずアーケードゲーム等の電気機器を備える遊戯施設においても同様に運用することができる。
【００５５】
更に、飲食店において食事時間に制限を付するために使用することもできる。例えば、広く用いられている飲食物の注文端末が所定の時間の後は稼動しなくなるようにする、焼肉や鍋物の加熱機器が所定の時間の後は稼動しなくなるようにするという形態で本発明の管理システムを活用することができる。
【産業上の利用可能性】
【００５６】
本発明の管理システムは、麻雀卓等の電気機器の使用を管理するのに好適である。多くの雀荘等による利用が期待される。
【符号の説明】
【００５７】
１    管理システム
９    ネットワーク
１０  麻雀卓（電気機器）
１１  タイマー
２０  判定装置
３０  管理装置
３１  表示画面
４１  投入口
４２  ＲＦＩＤセンサ
４３  返却口